【事件の表示】
　平成１１年特許願第８４７０８号「洗濯方法および洗濯用補助具」拒絶査定不服審判事件〔平成１１年１１月１６日出願公開、特開平１１−３１３９９８号〕について、次のとおり審決する。
【結　論】
　本件審判の請求は、成り立たない。
【理　由】
第１　手続の経緯・本願発明
　本願は、平成９年１０月２９日（優先権主張；平成８年１２月２４日）に出願した特願平９−３１４３１６号の一部を、平成１１年３月２６日に新たな特許出願としたものであって、その特許請求の範囲の請求項１ないし６に係る発明は、平成１５年４月１０日付けの手続補正書により補正された明細書及び図面の記載からみて、その特許請求の範囲の請求項１ないし６に記載された事項により特定されるとおりのものと認められる。
　したがって、本願の請求項２に係る発明及び請求項４に係る発明（以下、それぞれ「本願発明２」及び「本願発明４」という。）は、それぞれ次のとおりのものである。
「【請求項２】
　２つ折りにされた長方形シート状の通水性部材であって、ネットと、このネットの外周に取り付けられる布製の縁取り部と、その折り目に縫い付けられる布製の縁取り部とで構成されるものにおける当該折り目により区画される対向部分の間に、洗濯物を配置することで、その洗濯物を通水性部材に重ね、しかる後に、その洗濯物と通水性部材とを重ねた状態で、一体的にロール状に巻き、または、一体的に折り重ねた後にロール状に巻き、または、２つ以上の折り目ができるように一体的に折り重ね、
そのロール状に巻かれた状態で、または、一体的に折り重ねた後にロール状に巻かれた状態で、または、２つ以上の折り目ができるように一体的に折り重ねられた状態で、洗濯物を通水性部材と共に洗濯機により水洗いする洗濯方法。」
「【請求項４】
　２つ折りにされたシート状の通水性部材を備え、
　その通水性部材は、ネットと、このネットの外周に取り付けられる布製の縁取り部と、その折り目に縫い付けられる布製の縁取り部とで構成され、
その折り目により区画される通水性部材の対向部分の間において通水性部材に重ねられる洗濯物と、その通水性部材とを、一体的にロール状に巻くことができるように、または、一体的に折り重ねた後にロール状に巻くことができるように、または、２つ以上の折り目ができるように一体的に折り重ねることができるように、その通水性部材は可撓性を有し、
そのロール状に巻かれた洗濯物と通水性部材とが拡げられるのを規制する手段を有する洗濯用補助具。」
　　
第２　引用発明
　これに対して、原査定の拒絶の理由において引用された、本願出願前に頒布された刊行物である実願平１−０７９４４１号（実開平３−２０９８２号）のマイクロフィルム（以下、「引用刊行物」という。）には、次のように記載されている。
（ａ）「ストッキングを展開状態で収容できる開口を備えたメッシュ地で袋状に形成されたストッキングを挿入できるネット袋部と、このネット袋部の開口を開閉する開閉部材と、前記ネット袋部をその長手方向に折り畳んだ後に収容できるメッシュ地で袋状に形成された外被ネット袋部と、この外被ネット袋部の開口を開閉する開閉部材とで構成され、前記折り畳んだネット袋部を収容した、前記外被ネット袋部の開口を閉塞することを特徴とするストッキング洗濯用ネット。」（明細書第１頁５〜１５行）
（ｂ）「本考案は、タイツ風のストッキング（パンティー・ストッキング）、その他の長尺物のストッキング等のストッキングを広げて（展開状態）ネット袋部に収容し、その後このネット袋部を捲装した状態で、外被ネット袋部内に入れ、洗濯、脱水した後に、このネット袋部に展開状態で収容されたストッキングを、このネット袋部並びに外被ネット袋部とともに、洗濯ハンガー、その他のハンガー（以下単にハンガーとする。）又は紐等に吊架する構成としたストッキング洗濯用ネットに関するものである。」（明細書第２頁１０〜２１行）
（ｃ）「以上のようにしてネット袋部内に、二足のストッキングが挿入されたならば、続いてこのネット袋部の開閉部材を係止して、その開口を閉塞する。これによって、ネット袋部内に二足のストッキングが整然と挿入される。
　そこで、次にネット袋部を外被ネット袋部内に収容するに際して、先ず整然と挿入されたストッキングが縮んだり、団子状にクシャクシャになる等型崩れの状態をなくす為に、このネット袋部のほぼ半分の箇所より折り畳み、その後この折り畳み先端部を中心として、順次巻き込んでいき、究極的には、ネット袋部をぐるぐる巻きに捲装する（勿論折り畳み状態でも可である）。
　このようにして、捲装されたネット袋部を手で軽く保持しつつ、他方ので引っ繰り返されている前記外被ネット袋部を、基の状態に戻し表側とするとともに、捲装されているネット袋部の上に順次被覆していき、完全に被覆した状態で、外被ネット袋部の開閉部材を係止し、この外被ネット袋部の開口を閉塞すると、ここに、ストッキングが挿入されたネット袋部は、外被ネット袋部内に整然と収容される。
　したがって、後述するように洗濯機の洗濯槽及び／又は脱水槽等に於ける回動に於いても、ストッキングが他の洗濯物、又はネット袋部内の他のストッキングに絡まること、又はストッキング自体が、前述の如く型崩れすること等が、ほとんどないものである。」（明細書第６頁９行〜第７頁１６行）
（ｄ）「そこで、今度は例えばハンガーに干す段取りにかかるが、ストッキングはネット袋部並びに外被ネット袋部（ストッキングが挿入されたネット袋部の場合もあり、以下同じ）とともに干される。
　即ち外被ネット袋部の開閉部材を係脱し、この外被ネット部材の開口を開放するとともに、引っ繰り返し裏側とすると、ここに収容されていたネット袋部は自由に取り出し得るのであるが、このネット袋部に挿入されているストッキングの前記のような型崩れの状態をなくす為に、引き出されたネット袋部のほぼ半分の箇所を折り畳み、この折り畳み先端部を把持しながら、ハンガー等に吊架する。」（明細書第８頁３〜１６行）
（ｅ）「以下本考案の好ましい一例を図面を参照しつつ具体的に説明すると、１はメッシュ地で縦長袋状に形成されネット袋部で、このネット袋部１の長手方向１１０の辺１ａには開閉部材２が設けられ、この開閉部材２の係脱をもって、前記ネット袋部１の開口１０が開放又は閉塞される。その開放で、ストッキングＡの挿入又は取り出しを、その閉塞で、挿入されたストッキングＡの脱外、飛散防止又は保管時の下準備となる。
　そして、このネット袋部１には、通常二足のストッキングＡが、展開かつ長手方向１１０の辺１ａに延展された状態で挿入される。
　尚図示しないが、前記開閉部材２は、長手方向１１０の辺１ａの他の方向、例えば全ての外周部即ち他の辺１ｂ、１ｃ等の全部又はその一部にも設けることが可能である。」（明細書第１０頁５〜２１行）
　　
　以上の記載及び図面を総合すると、引用刊行物には、次のような洗濯方法に関する発明（以下、「引用発明Ａ」という。）が記載されているものと認められる。
「開口（１０）を有し、縦長袋状に形成されたネット袋部（１）であって、メッシュ地と、このメッシュ地の外周部に取り付けられ、ネット袋部（１）の開口（１０）を開閉する開閉部材（２）とで構成されるネット袋部（１）の内部に、ストッキング（Ａ）を収容した上で前記開閉部材（２）を係止し、
　しかる後に、そのストッキング（Ａ）とネット袋部（１）とをほぼ半分の箇所で折り畳んだ後にロール状に巻き、
　その状態でストッキング（Ａ）をネット袋部（１）とともに洗濯機により洗濯する洗濯方法。」
　
　また、引用刊行物に記載されたネット袋部１は、ストッキングＡを収容し、そのストッキングＡとともに、折り畳まれ、一体的にロール状に巻くことができるものであるから、当該ネット袋部１が可撓性を有することは明白である。
　したがって、引用刊行物に、次のようなストッキング洗濯用ネットに関する発明（以下、「引用発明Ｂ」という。）が記載されているものと認められる。
「開口（１０）を有し、縦長袋状に形成されたネット袋部（１）を備え、
　そのネット袋部（１）は、メッシュ地と、このメッシュ地の外周部に取り付けられ、ネット袋部（１）の開口（１０）を開閉する開閉部材（２）とで構成され、
　そのネット袋部（１）の内部に収容されるストッキング（Ａ）と、そのネット袋部（１）とを、ほぼ半分の箇所で折り畳んだ後に一体的にロール状に巻くことができるように、そのネット袋部（１）は可撓性を有し、
　そのロール状に巻かれたストッキング（Ａ）とネット袋部（１）とが収容される外被ネット袋部を有するストッキング洗濯用ネット。」
　
第３　当審の判断
１．本願発明２について
（１）本願発明２と引用発明Ａとの対比
　そこで、本願発明２と引用発明Ａとを対比すると、引用発明Ａの「ネット袋部（１）」は、その文言上の意義や形状等からみて、本願発明２の「通水性部材」に相当し、以下同様に、「メッシュ地」は「ネット」に、「ストッキング（Ａ）」は「洗濯物」に、それぞれ相当する。
　また、引用発明Ａにおいて、ネット袋部（１）の内部にストッキング（Ａ）を収容した時点で、ネット袋部（１）の対向部分の間にストッキング（Ａ）を配置することでネット袋部（１）に重ねることになり、その後、ストッキング（Ａ）とネット袋部（１）とをほぼ半分の箇所で折り畳むことにより、ストッキング（Ａ）とネット袋部（１）とを重ねた状態で一体的に折り重ねることになるといえる。
　したがって、本願発明２と引用発明Ａとの一致点及び相違点は、次のとおりである。
〈一致点〉
「通水性部材であって、ネットで構成されるものにおける対向部分の間に、洗濯物を配置することで、その洗濯物を通水性部材に重ね、
　しかる後に、洗濯物と通水性部材とを重ねた状態で一体的に折り重ねた後にロール状に巻かれた状態で洗濯物を通水性部材と共に洗濯機により水洗いする洗濯方法。」
〈相違点〉
　本願発明２においては、使用する通水部材が「２つ折りにされた長方形シート状の通水性部材であって、ネットと、このネットの外周に取り付けられる布製の縁取り部と、その折り目に縫い付けられる布製の縁取り部とで構成されるもの」であるのに対して、引用発明Ａにおいては、使用する通水部材が「開口（１０）を有し、縦長袋状に形成されたネット袋部（１）であって、メッシュ地と、このメッシュ地の外周部に取り付けられ、ネット袋部（１）の開口を開閉する開閉部材（２）とで構成されるネット袋部（１）」であり、洗濯に当たり、「ネット袋部（１）の内部にストッキング（Ａ）を収容した上で前記開閉部材（２）を係止」する点。
　
（２）相違点についての検討及び判断
　そこで、上記相違点について検討する。
　引用発明Ａにおいては、ネット袋部（１）が開口（１０）を備え、縦長袋状に形成されているが、このような縦長袋を形成するに当たっては、通常、長方形シート状のメッシュ地を２枚重ねるか、２つ折りにするかのいずれかの慣用手段を採用するものと解される。
　そして、引用刊行物の記載（ｅ）によれば、ネット袋部（１）の開口（１０）は、いずれの辺に設けてもよいのであるから、例えば、長方形シート状のものを、外被ネット袋部側の辺（１ｄ）で２つ折りにして、他の３辺（１ａ、１ｂ、１ｃ）を開口部とすることは、当業者が適宜選択し得ることである。
　この場合、上記した３辺の開口部に、ファスナー、ボタン、面ファスナー（引用刊行物第４頁１４〜１５行参照。）等の開閉部材（２）を設けるに当たり、布製の縁取り部を取り付けることは、本願出願前より広く行われている慣用手段であり、また、折り目に布製の縁取り部を縫い付けることも、補強等の観点から、本願出願前より広く行われている慣用手段にすぎないことである。
　したがって、引用発明Ａに上述した慣用手段を適用し、使用する袋状ネット部を、「２つ折りにされた長方形シート状のものであって、メッシュ地と、このメッシュ地の外周に取り付けられる布製の縁取り部と、その折り目に縫い付けられる布製の縁取り部とで構成されるもの」とすることにより、本願発明２の上記相違点に係る構成とすることは、当業者が容易になし得ることである。
　なお、引用発明Ａにおいては、「ストッキング（Ａ）を収容した上で前記開閉部材（２）を係止」しているが、引用刊行物の記載（ｅ）によれば、これは、洗濯の際、ストッキング（Ａ）がネット袋部（１）から離脱することを防止するために行う手順と解される。
　しかしながら、引用刊行物の記載（ｃ）によれば、引用発明Ａにおいては、ロール状に巻かれたストッキング（Ａ）とネット袋部（１）とを外被ネット袋部に収容して、ロール状に巻いた状態を維持しているのであるから、洗濯物の種類や洗濯の態様等によっては、開閉部材（２）の係止の有無にかかわらず、ストッキング（Ａ）とネット袋部（１）とが離脱しないことがあり得ることは、当業者であれば十分に予測し得ることであり、このような場合や、また、単に洗濯方法を簡略化するなどの観点から、開閉部材（１０）を係止するという手順を省略する程度のことは、当業者が適宜採用し得ることである。
　
（３）本願発明２についてのむすび
　本願発明２を全体構成でみても、引用発明Ａ及び上述した慣用手段から予測できる作用効果以上の顕著な作用効果を奏するものではない。
　したがって、本願発明２は、当業者が、引用発明Ａ及び上述した慣用手段に基いて、当業者が容易に発明をすることできたものである。
　
２．本願発明４について
（１）本願発明４と引用発明Ｂとの対比
　次に、本願発明４と引用発明Ｂとを対比すると、前述のように、引用発明Ｂの「ネット袋部（１）」、「メッシュ地」及び「ストッキング（Ａ）」は、それぞれ、本願発明４の「通水性部材」、「ネット」及び「洗濯物」に相当し、また、引用発明Ｂの「ストッキング洗濯用ネット」は、本願発明４の「洗濯用補助具」に相当する。
　さらに、引用発明Ｂにおいては、外被ネット袋部は、ロール状に巻かれたストッキング（Ａ）とネット袋部（１）とを収容するものであるから、それらが洗濯中に拡げられるのを規制する機能を有することは明白である。
　したがって、本願発明４と引用発明Ｂとの一致点及び相違点は、次のとおりである。
〈一致点〉
「通水性部材を備え、
　その通水性部材は、ネットで構成され、
　その折り目により区画される通水性部材の対向部分の間において通水性部材に重ねられる洗濯物と、その通水性部材とを、一体的に折り重ねた後にロール状に巻くことができるように、その通水性部材は可撓性を有し、
　そのロール状に巻かれた洗濯物と通水性部材とが拡げられるのを規制する手段を有する洗濯用補助具。」
〈相違点〉
　本願発明４においては、通水部材が「２つ折りにされたシート状の通水性部材を備え、その通水性部材は、ネットと、このネットの外周に取り付けられる布製の縁取り部と、その折り目に縫い付けられる布製の縁取り部」とで構成されるのに対して、引用発明Ｂにおいては、通水部材が「開口（１０）を備え、縦長袋状に形成されたネット袋部（１）」であり、「メッシュ地の外周部」には、「ネット袋部（１）の開口（１０）を開閉する開閉部材（２）」が取り付けられているものの、メッシュ地の外周に縫い付けられる布製の縁取り部や折り目に縫い付けられる布製の縁取り部を有していない点。
　
（２）相違点についての検討及び判断
　引用発明Ｂにおいては、ネット袋部（１）が開口（１０）を備え、縦長袋状に形成されているが、前述のように、縦長袋を形成するに当たっては、通常、長方形シート状のものを２枚重ねるか、２つ折りにするかのいずれかの慣用手段を採用するものと解される。
　そして、引用刊行物の記載（ｅ）によれば、ネット袋部（１）の開口（１０）は、いずれの辺に設けてもよいのであるから、例えば、長方形シート状のものを、外被ネット袋部側の辺（１ｄ）で２つ折りにして、他の３辺（１ａ、１ｂ、１ｃ）を開口部とすることは、当業者が適宜選択し得ることである。
　その際、上記した３辺の開口部に、ファスナー、ボタン、面ファスナー（引用刊行物第４頁１４〜１５行参照。）等の開閉部材（２）を設けるに当たり、布製の縁取り部を取り付けることは、本願出願前より広く行われている慣用手段であり、また、折り目に布製の縁取り部を縫い付けることも、補強等の観点から、本願出願前より広く行われている慣用手段にすぎないことである。
　したがって、引用発明Ｂにおいて、ネット袋部（１）を２つ折りにされた長方形シート状のものとし、その外周に布製の縁取り部を取り付け、また、その折り目に布製の縁取り部を縫い付けることにより、本願発明４の相違点に係る構成とすることは、当業者が容易に想到し得ることである。
　なお、上述のように、開閉部材（２）を設けるに当たり、布製の縁取り部を取り付けることは、本願出願前より広く行われている慣用手段であるから、本願発明４が「ネットの外周に取り付けられる布製の縁取り部」を有するからといって、開閉部材を有しないものであると解する根拠は見当たらない。
　仮に、本願発明４が、開閉部材を有しないものであると限定的に解釈する余地があるとしても、引用発明Ｂにおいて、ロール状に巻かれたストッキング（Ａ）とネット袋部（１）とが外被ネット袋部に収容されるのであるから、洗濯物の種別や洗濯の態様によっては、開閉部材（２）の有無にかかわらず、ストッキング（Ａ）とネット袋部（１）とが離脱しないことがあり得ることは、当業者であれば十分に予測し得ることであり、そのような場合に、洗濯物の出し入れの簡便化等の観点から、開閉部材（２）を省略する程度のことは、当業者が適宜採用し得ることである。
　
（３）本願発明４についてのむすび
　本願発明４を全体構成でみても、引用発明Ｂ及び上述した慣用手段から予測できる作用効果以上の顕著な作用効果を奏するものではない。
　したがって、本願発明４は、当業者が、引用発明Ｂ及び上述した慣用手段に基いて、当業者が容易に発明をすることできたものである。
　
第４　むすび
　以上のとおりであるので、本願発明２、本願発明４は、本願出願前に頒布された刊行物に記載された発明に基いて、当業者が容易に発明をすることができたものであるから、特許法第２９条第２項の規定により特許を受けることができない。
　よって、結論のとおり審決する。